(57)【特許請求の範囲】
【請求項１】
下記の要件を備えたことを特徴とする人形玩具。
（イ）少なくとも頭部と胴体部とを有した人形本体からなり、前記頭部内には駆動輪を有した動力ユニットが設けられていること。
（ロ）前記頭部は、胴体部に対して前後方向へ回動自在に取り付けられていること。
（ハ）前記駆動輪は、前記頭部を後方へ回動させると頭部下端部から当該駆動輪の一部が前面側に露出するように設けられていること。
（ニ）前記胴体部の下端には、脚部材が設けられていること。
（ホ）前記脚部材の下端前部には、車輪が回転自在に取り付けられていること。
（ヘ）前記脚部材の下端には、人形本体を起立させる接地面を有する足部材が設けられていること。
（ト）前記足部材は、前記車輪が出没自在となるように、当該足部材の踵側を回動支点としてつま先側が前後方向へ回動自在に取り付けられていること。
【発明の詳細な説明】
【０００１】
【発明の属する技術分野】
本願発明は、起立状態と走行状態に変形させることができる人形玩具に関する。特に、走行可能な人形玩具に関するものである。
【０００２】
【従来の技術】
従来より、走行する人形玩具として実公平５−４３８２５号に開示された人形玩具が知られている。当該人形玩具は、起立状態と走行状態に変形することができるものであるが、駆動輪が連結されたフライホイール式の動力ユニットが胴体内に設けられ、頭部を後方に回動させると、付勢輪を兼ねる駆動輪が露出し、この駆動輪を付勢することで人形玩具を走行させるものである。
【０００３】
【発明が解決しようとする課題】
しかしながら、上記従来の人形玩具は、動力ユニットが胴体内に設けられていたため、胴体が太くなってしまい、昨今の流行である人形本体の胴体を細くしたデザインにすることができなかった。
また、従来の人形玩具は、走行時に、つま先を引きずりながら走行するため、接地面との摩擦により着色部分が剥がれたり、すり減ったりすることがあり、また、走行時の抵抗となっていた。
【０００４】
本願発明は、上記の点に鑑み発明されたものであって、頭部に動力ユニットを収納するようにしたため、胴体を細く形成することができ、また、脚部に車輪を設けたため、摩擦により脚部の着色部分が剥がれたり、すり減ったり、また走行時の抵抗となったりすることがない人形玩具を提供することを目的とする。
【０００５】
【課題を解決するための手段】
上記課題を達成するために、請求項１記載の人形玩具は、以下の要件を備えたことを特徴とする。すなわち、
（イ）少なくとも頭部と胴体部とを有した人形本体からなり、前記頭部内には駆動輪を有した動力ユニットが設けられていること。
（ロ）前記頭部は、胴体部に対して前後方向へ回動自在に取り付けられていること。
（ハ）前記駆動輪は、前記頭部を後方へ回動させると頭部下端部から当該駆動輪の一部が前面側に露出するように設けられていること。
（ニ）前記胴体部の下端には、脚部材が設けられていること。
（ホ）前記脚部材の下端前部には、車輪が回転自在に取り付けられていること。
（ヘ）前記脚部材の下端には、人形本体を起立させる接地面を有する足部材が設けられていること。
（ト）前記足部材は、前記車輪が出没自在となるように、当該足部材の踵側を回動支点としてつま先側が前後方向へ回動自在に取り付けられていること。
【０００６】
【発明の実施の形態】
以下、本願発明に係る一実施の形態について、図面を参照して詳細に説明する。
図１は、本願発明に係る人形玩具（人形本体）１の構成斜視図であり、図２は、当該人形玩具（人形本体）１の分解構成図である。
図１中、３は頭部、５は胴体部、７は胴体部５に設けられた一対の脚部、９は胴体部５に設けられた一対の腕部である。
また、図２において、１１は前記頭部３内に設けられた動力ユニット、１３は動力ユニットにより付勢され駆動する駆動輪（付勢輪）、１５は脚部材、１７は脚部材１５に取り付けられる車輪、１９は前記車輪１７が収納可能に設けられた足部材である。
【０００７】
人形玩具（人形本体）１は、胴体部５と頭部３からなり、胴体部５の上方に頭部３が正面（前面）から上後方に向けて回動自在に取り付けられたものである。
この頭部３は、本実施の形態では、その内側が中空であり、前記動力ユニット１１が収納されている。また、後部下方には該頭部３が前後方向に回動した際に前記胴体部５と所定範囲で接触しないように、切欠部３ａが設けられている。この切欠部３ａの両縁部分と前記胴体部５の上部後方がピン等で回動自在に取り付けられて回動支点となるように構成されている。そして、頭部３は、前面が顔となるように所定の形状に成形され顔部品（目や口等）が描かれている。
【０００８】
脚部７は、脚部材１５と車輪１７とからなり、脚部材１５は、前記胴部５の下部にそれぞれ固着されており、脚部材１５の下端前面側を突出させ人体のつま先を模して形成されている。この脚部材１５の下端前面側（つま先部分）の外側部には、脚部材１５の前面側縁部から若干はみ出す大きさの車輪１７が回動自在に取り付けられている。
【０００９】
また、前記脚部材１５の下端後方側（踵側）には、正面から下後方へ向けて回動自在に足部材１９が設けられている。この足部材１９は、底部に所定大の接地面を有し、上部には、前記脚部材１５のつま先部分と車輪１９が収納されるための凹部が設けられている。これは、足部材１９を前面から後方側へ回動させることにより、前記脚部材１５に設けられた車輪１７が該足部材１９から出没自在となるように構成されたものである。
【００１０】
動力ユニット１１は、本実施の形態では、フライホイール式の動力源であり、前面に駆動輪１３の一部が露出して設けられている。この動力ユニット１１は上述したように頭部３の中空部分に収納され、内側壁に固定されている。
すなわち、頭部３を後方へ回動させた際に、頭部３の前面下端部から動力ユニット１１に設けられた前記駆動輪１３の一部分が露出するように配置されている。
【００１１】
つぎに上記構成の人形玩具１を走行させる様子について説明する。
本願発明の人形玩具１は、通常は頭部３の顔を正面方向に向かせ、脚部７に設けられた足部材１９の接地面が所定面上に接するように設置すると、当該人形玩具１を起立状態にすることができる（図１、図３（ａ）参照）。
【００１２】
この起立状態の人形玩具１の頭部３を前面から上後方へ回動すると、頭部３の下端部から駆動輪１３が露出する。また、脚部７に設けられた足部材１９を前面から下後方へ回動すると脚部材１５に設けられた車輪１７が露わとなる。
そして、前記駆動輪１３と該車輪１７を所定面上に接することにより、当該人形玩具１は走行状態に形成される。このような走行状態において、腕部９を頭部３側に回動することであたかも空を飛んでいるような姿勢に見せることができる（図３（ｂ）参照）。
【００１３】
走行状態に形成された人形玩具１は、駆動輪１３を付勢することにより、進行方向へ走行する。このとき、駆動輪１３とともに脚部材１５に設けられた車輪１７も回動するため、三点支持による安定した走行が行えるようになる（図４参照）。
【００１４】
なお、上記実施の形態では、動力ユニット１１をフライホイール式として説明したが、動力ユニット１１に設けられた駆動輪１３を駆動することができれば、電池によるものでもよく、動力源は特に限定されない。
また、上記実施の形態では、頭部３および足部材１９を単に回動するとして説明したが、頭部３の後部や足部材１９の後方に回動用の突起を設けて、この突起を操作することにより回動するようにしてもよく、回動方法は特に限定されない。
【００１５】
【発明の効果】
本願発明によると、人形玩具の頭部に動力ユニットを収納するようにしたため、昨今の流行に沿って胴体部を細く形成することができる。また、本願発明によると、脚部下端に車輪を設けたため、従来のように走行時につま先を引きずりながら走行することがなくなり、接地面との摩擦により着色部分が剥がれたり、すり減ったりすることがなく、また、走行時に抵抗とならず従来に比して長時間走行することができるようになる。
【図面の簡単な説明】
【図１】本願発明の一実施の形態に係る人形玩具の構成斜視図である。
【図２】本願発明の一実施の形態に係る人形玩具の分解構成図である。
【図３】本願発明の一実施の形態に係る人形玩具の断面構成図である。
【図４】本願発明の一実施の形態に係る人形玩具の走行の様子を示した説明図である。
【符号の説明】
１  人形玩具
３  頭部
５  胴体部
７  脚部
９  腕部
１１  動力ユニット
１３  駆動輪
１５  脚部材
１７  車輪
１９  足部材
【図１】
0004574903.tif 000002
【図２】
0004574903.tif 000003
【図３】
0004574903.tif 000004
【図４】
0004574903.tif 000005